Podtech/llm-jp-corpus-v4-ja_patent huggingface dataset:
(57)【要約】【課題】    本発明は洋傘の支柱に洋傘の骨先を収集する保持具であり、いかなる様式の洋傘にも対応できる保持具として提供することを目的とするものである。【解決手段】    洋傘の骨先を支柱に収集してその外周の直径よりゆとりをつけて針金でリング体を作り軟質の汎用ゴム若しくは合成ゴムで吊鐘状に形成しその裾部に前記リング体を包みこみ上部は洋傘の柄に締リ嵌めの保持筒を形成した保持具【選択図】    図１
2005288074.tif 000002
【特許請求の範囲】
【請求項１】
洋傘のシートを折り畳み骨の先端を支柱に収集して、その外周の直径より余裕をつけて針金でリング体を製作する。軟質の汎用ゴム若しくは合成ゴムで前記リング体を裾部としてリング体を包みこんで吊鐘状体に形成する。吊鐘状体の頭部の中芯に洋傘の柄に締り嵌めの穴を明け締り嵌めの保持筒を形成する。吊鐘状体に形成した軟質の汎用ゴム体若しくは合成ゴム体を洋傘の柄に嵌めこみ包みこんだリング体は洋傘の骨の先端を収集できる位置にして固着する。リング体を上に持上げて洋傘の骨先を収集してリング体を下に落とすと骨先はリング体内に納まり安定する。リング体を上に持上げると軟質汎用ゴム若しくは合成ゴムは捲り上り洋傘の骨先は遊離する。軟質の汎用ゴム若しくは合成ゴムは復元力が作動するが包みこまれた針金のリング体で阻止される。軟質の汎用ゴム若しくは合成ゴムで裾部に針金のリング体を包みこんで吊鐘状に形成された頭部の中芯に洋傘の柄に締り嵌めの穴をあけ締り嵌めの保持筒を形成されたことを特徴とした洋傘の支柱に骨の先端を収集する保持具。
【発明の詳細な説明】
【技術分野】
【０００１】本発明は洋傘の支柱に骨の先端を収集、遊離、する保持具に関するものである。
【背景技術】
【０００２】従来洋傘の支柱に骨の先端を収集する保持具は、洋傘の支柱に骨に嵌めこむ柄の端に金属の筒状のリングを挿着させて上下に摺動させて収集遊離の操作をさせているが、様式が変わり保持具を組込まれた洋傘も少なくなっている。其の外に骨の上部の一箇所に紐を固着させ骨先を纏めて括りホック等で止めるものがある。保持具を組込まれた洋傘、保持具のない洋傘、ことごとく洋傘の布の中間に紐を付着しておき布を折り畳み付着した紐で括りホック等で止められている。【０００３】従来洋傘の骨の先端を収集する操作は、柄に取付られた金属の筒状のリングを上から下に摺動させて骨の先端を収集させてから布を折り畳まれ付着した紐で括りホックで止められていたが、柄が手軽に持てる様に細くなり、又骨の先端に帽子状のピースを固着される様に変り金属の筒状のリング体の取付けができなくなり、保持具を取付けた洋傘は少なくなっている。洋傘を折り畳む順序として洋傘の骨先を収集して安定させて布に付着した雨水を払い除ける間をおいてから、折り畳み布に付着した紐で括る操作は順序だが、骨先を収集する保持具がないと雨水を付着した布を括る様になる。洋傘も支柱の中間にコイルばねが挿着されているのでコイルばねの弾性で骨の先端は完全に閉じることができずばらつく雨水が飛び散り手も汚れる、周囲に當り又絡みつくなどの迷惑がかかる。洋傘に使用されている金具にも悪い影響を与える。合成樹脂製シートの洋傘も雨水に濡れたまま折り畳むと雨水の張力で張りつき開くのに手間がかかる。柄に取付られた金属の筒状のリングも雨水等に晒されたり衝撃などにより変形されて上下に摺動がきつくなり装着されても使用されなくなっている。本発明は保持具を組込まれた洋傘、保持具の装着されていない洋傘のそれぞれの障害を取り除くため洋傘の柄の大小に関係なくどんな様式の洋傘に挿着できる保持具の提供を目的とするものである。
【発明の開示】
【発明が解決しようとする課題】
【０００４】洋傘を使用するのは降雨の際屋外に一歩踏み出してからはじまる。洋傘の支柱にコイルばねが挿着されて瞬時に開く様になっている。洋傘の骨の閉じる時も間をおかず瞬時に収集できる保持具を求められている。特に乗り物に乗る時など人混みに入る時などバラつく骨先を纏めて安定させて持つことは望ましいが保持具が備えられれておらず又保時具の不具合で使用されずにいる。洋傘の柄の大小に関係なく又骨の先端のどんな様式にも対応でき安全に容易にして迅速に収集できる保時具を提供することを目的としている。
【課題を解決ための手段】
【０００５】本発明は上述の課題を達成するために洋傘のシートを折り畳み骨の先端を支柱に収集してその外周の直径より余裕をつけて針金でリング体を製作する軟質の汎用ゴム若しくは合成ゴムで前記リング体を裾部として、リング体を包みこんで吊鐘状体に形成する。吊鐘状体の頭部の中芯に洋傘の柄に締リ嵌めの穴を明け締リ嵌めの保持筒を形成する。吊鐘状体に形成した軟質の汎用ゴム体若しくは合成ゴム体を洋傘の柄に嵌めこみ包みこんだリング体は洋傘の骨の先端を収集できる位置にして固着する。リング体を指先にて上に持上げて洋傘の骨先を収集してリング体を下に落とすと骨先はリング体内に納まり安定する。リング体を上に持上げると軟質汎用ゴム若しくは合成ゴムは捲り上り洋傘の骨先は遊離する。軟質の汎用ゴム若しくは合成ゴムは復元力が作動するが包みこまれた針金のリング体で阻止される。軟質の汎用ゴム若しくは合成ゴムで裾部に針金のリング体を包みこんで吊鐘状に形成され頭部の中芯に洋傘の柄に締リ嵌めの穴をあけ締リ嵌めの保持筒を形成されたことを特徴とした洋傘の支柱に骨の先端を収集する保持具。
【発明の効果】
【０００６】洋傘の骨の先端を収集する保持具は洋傘の様式が変り取り除かれてきている。洋傘の柄に取付けられた金属の筒状のリング体の保持具は上下に摺動される関係で内筒外筒の隙間に精度を求められる洋傘の骨先の外周の直径から割出して金属の筒状の直径を求められて柄の大きさが決まる関係でスタイルが無視される。筒状も雨水に晒らされたり衝撃などにより変形すると摺動がきつくなる。洋傘の骨組の変形にも骨先の収集した外周にゆとりをとられていない関係で筒状のリング内に納めるのも手間がかかる。上述の障害などにより筒状のリングの保持具は取入れなくなってきている。保持具の装着されない洋傘は又いろいろと障害がある乗りものに乗る際など骨の先端が他に當るとか絡みつくなどの迷惑になることがある。幼い学童などの使用する際も注意して気配りが必要だ。本発明は洋傘の柄の大小に関係なく骨の先端の様式を選ばずに対応できる保持具として装着されるならば上述のいろいろな障害を避けられる。手に優しく簡単にして迅速に収集遊離することのできる効果のある保持具として提供できるものである。
【発明を実施するための最良の形態】
【０００７】〔図１〕は本発明の保持具を洋傘の骨先を収集して保持具内に納めて安定保持した形態を示す断面図
【実施例１】
【０００８】〔図２〕は本発明の保持具を洋傘に装着して保持具を捲きリ上げて骨先を遊離させて洋傘を開いた断面図
【図面の簡単な説明】
【０００９】
【図１】保持具を洋傘に装着して骨先を収集した形態を示す断面図
【図２】保持具を洋傘に装着して骨先を遊離させ洋傘を開いた形態を示す断面図
【図３】保持具の裾部に包み込む針金のリング体の正面図
【図４】保持具の正面図
【図５】保持具の側面図
【図１】
2005288074.tif 000003
【図２】
2005288074.tif 000004
【図３】
2005288074.tif 000005
【図４】
2005288074.tif 000006
【図５】
2005288074.tif 000007
(57)【要約】【課題】  本発明は、本体部に設けたヒータ部によって、顔面の眼の周囲を加熱し、血流を良くすることを目的とする。【解決手段】  本発明によるアイマスクは、本体部（１）の内面（１ａ）にヒータ部（４）を設け、外面（１ｂ）には小孔（６）を有する小孔シート（７）を開閉自在に設け、顔面の加熱を行って血流促進を行うことができる構成である。【選択図】  図２
2005288056.tif 000002
【特許請求の範囲】
【請求項１】
一個又は一対の眼用開口部（３）を有し両端にベルト（２）を有する本体部（１）と、前記本体部（１）に設けられ前記眼用開口部（３）の周囲に位置するヒータ部（４）と、前記本体部（１）の外面（１ｂ）に片持式に設けられ前記前記眼用開口部（３）に対応して複数の小孔（６）を有する小孔シート（７）とを備え、前記小孔シート（７）は、前記眼用開口部（３）に対して開又は閉状態にできるように構成したことを特徴とするアイマスク。
【請求項２】
前記本体部（１）の内面（１ａ）に前記ヒータ部（４）に対応して設けられたパッド部（５）を有することを特徴とする請求項１記載のアイマスク。
【請求項３】
前記ヒータ部（４）にはコードが接続されていることを特徴とする請求項１又は２記載のアイマスク。
【発明の詳細な説明】
【技術分野】
【０００１】  本発明は、アイマスクに関し、特に、ヒータ部を設け、顔面の眼の周囲を加熱して血流を良くするための新規な改良に関する。
【背景技術】
【０００２】  従来、用いられていたアイマスクは、全体形状が所定の厚さと柔軟さを有し、一対の眼部に複数の小孔が形成され、例えば、後述の特許文献１に開示されている。
前述のアイマスクは、その両端に設けられたひも又はベルトによって顔面に装着し、眼を覆う作用を得ていた。【０００３】
【特許文献１】      実公平７−４１４６１号公報
【発明の開示】
【発明が解決しようとする課題】
【０００４】  従来のアイマスクは、以上のように構成されていたため、次のような課題が存在していた。
すなわち、アイマスクの機能としては十分であるが、冬等の寒い気候においては顔面が寒く、アイマスクを装着して休みを取る場合、あまり快適な状態ではなかった。
また、疲れた時に、仕事を休み、アイマスクを装着して眼筋体操（眼を動かすこと）をするような場合、顔面が冷たいと血流が悪く、長時間かける必要があった。
【課題を解決するための手段】
【０００４】  本発明によるアイマスクは、一個又は一対の眼用開口部を有し両端にベルトを有する本体部と、前記本体部に設けられ前記眼用開口部の周囲に位置するヒータ部と、前記本体部の外面に片持式に設けられ前記前記眼用開口部に対応して複数の小孔を有する小孔シートとを備え、前記小孔シートは、前記眼用開口部に対して開又は閉状態にできるようにした構成であり、また、前記本体部の内面に前記ヒータ部に対応して設けられたパッド部を有する構成であり、また、前記ヒータ部にはコードが接続されている構成である。
【発明の効果】
【０００５】  本発明によるアイマスクは、以上のように構成されているため、次のような効果を得ることができる。
すなわち、アイマスクの本体部の内面にヒータ部が設けられているため、アイマスク装着時には、眼の周囲及び顔面の一部が加熱されて暖まるため、血流が短時間で良好となり、冬等においては特に快適で、眼筋体操も短時間のうちで血流良好となり、眼の疲れも短時間で取り除くことができる。
【発明を実施するための最良の形態】
【０００６】  本発明は、ヒータ部を有することにより、血流を短時間で良好にするアイマスクを得ることを目的とする。
【実施例】
【０００７】  図１から図３において符号１で示されるものは全体形状が横長形状で、両端にベルト２（ひも状のものでも可）を有する本体部であり、この本体部１は全体が布又は合成の薄板状をなす柔軟材料よりなる。
この本体部１の人間の両眼に相当する部分には、一個又は一対の眼用開口部３が形成され、この部分は貫通状に形成されている。【０００８】  前記本体部１の内部又は内面には、板状又はワイヤ状をなし電池（図示せず）で加熱可能な電気抵抗体（例えば、カーボン皮膜よりなる）からなるヒータ部４が設けられており、電池とヒータ部４との間は図示しない接続コードで接続されている。
前記ヒータ部４は、前記眼用開口部３の周囲及びその周辺に位置するように配設されており、顔に装着時に、眼の周囲及び周辺を加熱し、心地良さと血行の促進を与えることができるように構成されている。【０００９】  前記本体部１の内面１ａには、前記ヒータ部４に対応し各眼用開口部３を避ける状態でパット部５が設けられ、このパッド部５は、弾性材料よりなると共に、所定の厚さを有し、ヒータ部４が直接顔面に接触することのないように構成され、高い温度の直接伝達も防止されている。尚、ヒータ部４を低い温度のものとすれば、このパッド部５は不要の場合もある。【００１０】  前記本体部１の外面１ｂには、前記眼用開口部３に対応して複数の小孔６（例えば、直径約１ミリ）を有する小孔シート７が設けられ、この小孔シート７は、図３に示されているように、本体部１の外面１ｂの一端１ｃ側のみ固着し、片持式で開閉自在として構成されている。すなわち、図３の実線で示すように閉として外面１ｂに接触している場合には、眼用開口部３は小孔６がある状態であり、図３の点線で示されるように開とすると、眼用開口部３は小孔６のない素通しの貫通状態となるように構成されている。【００１１】  前述の構成において、各バンド２を用いて、アイマスク１０を顔面に装着し、図示しないスイッチをオンとして電池からの電源がヒータ部４に供給されると、ヒータ部４は加熱され、顔面の眼の周辺は加熱され、心地良く、かつ、血流が短時間のうちに良好となり、特に、寒い気候においてはその効果が顕著となる。
また、アイマスクとして不要の時は、小孔シート７を上に上げれば素通しとすることもできる。
【産業上の利用可能性】
【００１２】  アイマスクとしてのみではなく、医療用の部材として利用することも可である。
【図面の簡単な説明】
【００１３】
【図１】本発明によるアイマスクの外面を示す正面図である。
【図２】図１の内面を示す構成図である。
【図３】図２のＡ−Ａ拡大断面図である。
【符号の説明】
【００１４】  １  本体部
２  ベルト
３  眼用開口部
４  ヒータ部
５  パッド部
６  小孔
７  小孔シート
【図１】
2005288056.tif 000003
【図２】
2005288056.tif 000004
【図３】
2005288056.tif 000005
(57)【要約】【課題】  時計ケース、時計バンド等に貴石を安定且つ強固に装着するための貴石の取付構造の提供。【解決手段】  中間部に縮径部２を有し、上部にラッパ状に開いた口縁部３を、下部に拡径部４を一体的に形成してなる短筒部材１を設け、この短筒部材１内の前記縮径部２位置に貴石５を強制嵌入により固定すると共に時計ケース、時計ハンド等の被装着部材６に穿設した取付孔７に前記短筒部材１を強制嵌入により埋着固定するようにした。【選択図】  図１
2005288070.tif 000002
【特許請求の範囲】
【請求項１】
両側の外駒１．１の間に中駒２を介在させ、該外駒１．１と中駒２に貫設してなる一連の連結穴３にヘアピン４を挿入して連結するようになる構成に於いて、前記外駒１．１の一方の外駒１の外側端縁部に前記連結穴３と連通状態にある段穴形状の拡径凹部５を連設すると共に、前記ヘアピン４の一端に大きく上下に膨張したヘッド４ａを形成し、このヘッド４ａを前記拡径凹部５に圧入固定するようになる時計バンドにおける鎖駒の連結構造。
【請求項２】
前記ヘアピン４は、一本の金属線をＵ字状に折返した上下２本の適度に弾性を有する軸からなり、一端のヘッド４ａ部分は、該軸に対して上下に大きく膨張して空間部４ｄを挟んで上頭４ｂ及び下頭４ｃがあり、この上頭４ｂと下頭４ｃの先端の段差爪４ｅ前方にスリット４ｆを挟んで先端に向けて傾斜する口頭部４ｇ．４ｈを連設したことを特徴とする請求項１記載の時計バンドにおける鎖駒の連結構造。
【請求項３】
前記ヘアピン４のヘッド４ａは、前記拡径凹部５の上下内壁面に前記上頭４ｂ及び下頭４ｃが圧接すると共に前記段差爪４ｅが同じく上下内壁面に夫々係着するようになる請求項１記載の時計バンドにおける鎖駒の連結構造。
【請求項４】
前記ヘアピン４のヘッド４ａは、前記拡径凹部５に圧縮された状態で嵌合し、前記口頭部４ｇ．４ｈが閉じて該閉鎖部を支点として常にヘアピン４の軸方向に応力が働くようにしたことを特徴とする請求項１記載の時計バンドにおける鎖駒の連結構造。
【発明の詳細な説明】
【技術分野】
【０００１】  本発明は、ヘアピンの抜け落ち、折損、曲がり等を防止するための時計バンドにおける鎖駒の連結構造に関するものである。
【背景技術】
【０００２】  従来の時計バンドにおける鎖駒の連結構造は、ヘアピンをセットする穴が同一径であるためヘアピン中央部は穴径に対して間隙が大きくバンドの使用時にヘアピンの折れ、曲がり等の不具合が起こり易く、また、ヘアピンの一端を少し丸めただけの従来のダボ形状では一度はずして再度ヘアピンをセットした時にダボの再現性が低下してしまい、固定力が著しく低くなる大きな欠点がある。
【発明の開示】
【発明が解決しようとする課題】
【０００３】  本発明は、ヘアピン先端、中央部とヘッド部分（所謂ダボ部分）の穴径並びにヘッド形状を変えることにより従来の欠点を完全に一掃し得る新規の鎖駒の連結構造を提供しようとするものである。
【課題を解決するための手段】
【０００４】  本発明は、前記の目的を達成する手段として、その一つは、両側の外駒１，１の一方の外駒１の外側端縁部に連結穴３と連通し且つ該連結穴３に比し格段に径の大きい段穴形状の拡径凹部５を設け、この拡径凹部５にヘアピイ４の一端に形成した大きなヘッド４ａを圧入し、他の一つは、前記ヘアピン４の一端に形成したヘッド４ａは、ヘアピン４の軸に対して上下に大きく膨張して空間部４ｄを挟んで上頭４ｂ及び下頭４ｃがあり、この上頭４ｂと下頭４ｃが前記拡径凹部５の内壁面に圧接すると共に合う頭４ｂと下頭４ｃの先端に設けた段差爪４ｅが同じく拡径凹部５の内壁面に夫々係着し、そして、前記上頭４ｂ及び下頭４ｃの前方にスリット４ｆを挟んで連設した先端方向に傾斜する口頭部４ｇ．４ｈが閉じて該閉鎖部を支点としてヘアピン４の軸方向に応力が働くようにした。
【発明の効果】
【０００５】  本発明は、一方の外駒１の外側端縁部に連結穴３と連通し且つ該連結穴３に比し格段に径の大きい段穴形状の拡径凹部５を穿設し、この拡径部５にヘアピン４のヘッド４ａを係合し、ヘッド４ａの上頭４ｂと下頭４ｃが金属の適度の弾性によって前記拡径凹部５の内壁面に圧接し、更に上頭４ｂ及び下頭４ｃの段差爪４ｅが同じく拡径凹部５の内壁面に係着しているもので、ヘアピン４のヘッド４ａは、拡径凹部５内でしっかり固定され、ヘアピン４の抜け落ちを防止する効果を発揮し、即ちヘアピン４に対して連結穴３方向に力が加わると拡径凹部５の段部５ａにヘッド４ａの頸部４ｉが係止して力を受け止め、また、力がヘッド４ａ方向に加わった場合は段差爪４ｅが受け止めるようになり、ヘアピン４は連結穴３内に於いて安定、確実に保持され装着時にヘアピン４が抜け落ちる等の従来の欠点を完全に一掃し得る利点を有するものである。【０００６】  特に前記ヘアピン４のヘッド４ａは、前記拡径凹部５に圧縮された状態で嵌合され、前記口頭部４ｇ．４ｈが閉じて該閉鎖部を支点として常にヘアピン４の軸方向に応力が作用するようになり、これによって前記の効果を一段と顕著なものとなし得る効果がある。
【発明を実施するための最良の形態】
【０００７】  本発明の具体的な構成を図に基づいて説明すると、両側に配置した外駒１．１の間に中駒２を介在し、この外駒１．１と中駒２に共通の連結穴３を貫設し、そして一方の外駒１の外側端縁部に連結穴３と連通する拡径凹部５を穿設しする。
次に、ヘアピン４は一本の金属線をＵ字状に折返した上下２本の適度の弾性を有する軸からなり、該軸の一端にヘッド４ａがあり，このヘッド４ａは前記軸の一端部を上下に大きく膨張して空間部４ｄを挟んで上頭４ｂ及び下頭４ｃがあり、この上頭４ｂと下頭４ｃの先端の段差爪４ｅ前方にスリット４ｆを挟んで先端に向けて傾斜する口頭部４ｇ．４ｈを連設した構造からなっている。【０００８】  而して、前記外駒１．１と中駒２の連結穴３にヘアピン４を挿入して各駒を連結するとヘッド４ａは前記拡径凹部５内に圧縮された状態でおさまり、該拡径凹部５の内壁面にヘッド４ａの上頭４ｂと下頭４ｃが圧接し、また、前記段差爪４ｅが同じく拡径凹部５の内壁面に係着するようになり、しかも、ヘッド４ａが拡径凹部５内に圧縮された状態で納まると図６の矢印Ａ方向の力によって先端部が閉じて該閉鎖部が支点となって同図矢印Ｂ方方向の応力が発生し、即ち、常にヘアピン４の軸方向に力が作用するようになり、ヘアピン４が抜けにくくなる。
【産業上の利用可能性】
【０００９】  本発明に係る連結構造は、時計バンドばかりでなく多数の鎖駒を連結する例えばブレスレッド、ネックレス等のアクセサリー製品にも広く適用できる。
【図面の簡単な説明】
【００１０】
【図１】  本発明の要部を示す時計バンドの断面図
【図２】  同要部の一部拡大断面図
【図３】  バンドとヘアピンの斜視図
【図４】  ヘアピンの拡大断面図
【図５】  同上Ａ−Ａ線断面図
【図６】  本発明要部の作用説明図
【符号の説明】
【００１１】    １  外駒
２  中駒
３  連結穴
４  ヘアピン
５  拡径凹部
【図１】
2005288070.tif 000003
【図２】
2005288070.tif 000004
【図３】
2005288070.tif 000005
【図４】
2005288070.tif 000006
【図５】
2005288070.tif 000007
【図６】
2005288070.tif 000008
(57)【要約】【課題】従来のコンビニエンスストア等の陳列棚にあっては、手の届く範囲でしか商品を陳列することができず。また商品の陳列量及び陳列台の面積もかぎられている。陳列量を豊富にするためには、従来の陳列棚の上方の空間部分を有効活用をすることである。【解決手段】本発明の天井より吊り下げられた回転昇降陳列装置は、リンクプレ−トをタイヤと車軸で連結してなるタイヤ車軸ロ−ラ−チェ−ンと、車軸に歯合する主車スプロケットを回転駆動するモ−タ−とを設けガイドレ−ル上をタイヤ車軸ロ−ラ−チェ−ンの移動により、昇降される車軸の一端に設けられた載置具に陳列された商品の位置決めが容易にできる。【選択図】図２
2005288064.tif 000002
【特許請求の範囲】
【請求項１】
陳列棚等の上部に設置された回転昇降装置において、タイヤと車軸をリンクプレ−トで連結してなるタイヤ車軸ロ−ラ−チェ−ンと、このタイヤ車軸ロ−ラ−チェ−ンに歯合する主車としてのスプロケットと、前記主車のスプロケットを回転駆動するモ−タ−と立て長円状ガイドレ−ルとを備え、前記タイヤ車軸ロ−ラ−チェ−ンの車軸の一端に載置具を設け、立て長円状ガイドレ−ルに沿ってタイヤ車軸ロ−ラ−チェ−ンの移動により、載置具が正逆回転をして昇降自在に位置決めができることを特徴とする回転昇降陳列装置。
【請求項２】
前記タイヤ車軸ロ−ラ−チェ−ンは、タイヤが立て長円状ガイドレ−ルに沿って移動制止を有する請求項１に記載の回転昇降陳列装置。
【発明の詳細な説明】
【技術分野】
【０００１】本発明は、壁面又は陳列棚等の上方部分を有効かつ陳列でき、高所の品物を簡単に手にすることができるようにした陳列装置に関する。
【背景技術】
【０００２】
【特許文献１】  特開平６−２６９３４２
【発明の開示】
【発明が解決しようとする課題】
【０００３】従来の陳列棚にあっては、商品の陳列や補充等の作業を容易に行うためには、陳列部分が手の届く高さであった。棚の段数及び陳列量が少なく陳列効果及び商品量にも限りがあった。
【課題を解決するための手段】
【０００４】本発明の回転昇降陳列装置は、リンクプレ−トをタイヤ車軸と連結してなるロ−ラ−チェ−ンを立て長円状ガイドレ−ルに沿って配置され、タイヤ車軸に歯合をする主車スプロケットを回転駆動するモ−タ−とを備え、タイヤ車軸の一端に載置具を設けた。モ−タ−が作動するとタイヤ車軸ロ−ラ−チェ−ンが移動することを特徴とする請求項１記載の回転昇降陳列装置。
【発明の効果】
【０００５】本発明は、従来の陳列棚の上部を有効に利用することができ、陳列量及び宣伝や作業等の利用者にとって絶大的な効果が高いと言える。
【発明を実施するための最良の形態】
【実施例】
【０００６】以下、この発明の実施例にもとづき図面を参照して説明する。本発明において陳列装置とは、手の届かないような高所に品物を陳列することができ、脚立及び踏み台等を使用せず安全に手にすることができる回転昇降陳列装置をいう。【０００７】図１は、本発明の回転昇降装置を応用した全体構成を示す右側方から見た側面図である。まず従来の陳列棚の支柱１とブラケット２棚板３とで構成されており、商品４を陳列したものである。本発明の吊り下げられた５は本体を支持する支柱であり固定をするにあたって、一般建築で行われる工法にて天井や鉄骨等に固定をされている。６は載置具で上下に移動をして手の届く範囲に停止をする。載置具６は、複数本設置され載置具６の間隔は商品の大きさ等で間隔をあけて設置をする。７は、商品であり載置具６に商品７を陳列されたものである。【０００８】図２は、本発明に係る回転昇降陳列装置の実施例の全体斜視図である。モ−タ−９が作動するとモ−タ−軸１０と接合されたスプロケット１１が回転をして、スプロケット１１に歯合する車軸１５も移動をする。車軸１５が移動することにより連結されたリンクプレ−ト１３により、タイヤ１２及び載置具６ａもガイドレ−ル１４に沿って移送駆動を受けるようになる。【０００９】図３は、循環経路内の移送部である。車軸１５はリンクプレ−ト３ａに連結され、タイヤ２ａは円滑な回転を得る。また車軸１５の一端にネジ溝１６を堀削したもので載置具６ｂをネジ入れて設置したものである。【００１０】図４は、回転をするロ−ラ−部分であり。タイヤ２ｂは、円滑な回転を得ることにするために設けたもので、タイヤ２ｂは、ゴム及び樹脂系統の材質でもよい。車軸５ｂの一端に載置具６ｃが設置され商品７ａを陳列されたものである。
【産業上の利用可能性】
【００１１】本発明は、コンビニエンスストア等の陳列棚の上部又は壁面等に使用することができる。電源を入れることにより陳列された商品等が回転をして上下する。手の届く範囲にさしかかったときに電源を切り停止させ商品等を手にすることができる。
【図面の簡単な説明】
【００１２】
【図１】回転昇降装置を応用した全体構成を示す右側から見た側面図である。
【００１３】
【図２】実施例の全体斜視図である。
【００１４】
【図３】循環経路内の移送部である。
【００１５】
【図４】載置具に商品を陳列したものである。
【符号の説明】
【００１６】１支柱。２ブラケット。３棚板。４商品。５吊り支柱。６、６ａ、６ｂ、６ｃ載置具。７７ａ吊り商品。９モ−タ−。１０モ−タ−軸。１１スプロケット。１２、２ａ、２ｂタイヤ。１３、３ａリンクプレ−ト。１４ガイドレ−ル。１５、５ｂ車軸。１６載置具のネジ込み部。
【図１】
2005288064.tif 000003
【図２】
2005288064.tif 000004
【図３】
2005288064.tif 000005
【図４】
2005288064.tif 000006
(57)【要約】【課題】陰部や臀部等皮膚面に付いた菌、蛋白質の除去をし、入浴出来ない時又は生理理時等での皮膚の清潔維持及び匂い等の発生による不快感を除去することを課題とする。【解決手段】本からだ洗浄用具で、皮膚面を石鹸洗浄し、その後、従来の噴射式沐浴装置等で洗い流すことにより、入浴時の洗浄と同様の皮膚の洗浄効果を得られる。【選択図】図１
2005288063.tif 000002
【特許請求の範囲】
【請求項１】
洗浄液を含浸可能な多孔洗浄部と前記洗浄部に取り付けられた硬式からなる握持部を有するからだの洗浄用具。
【請求項２】
前記洗浄部は、スポンジ、布、紙、海綿等多孔質材からなる部材を特徴とする請求項１のからだの洗浄用具。
【請求項３】
握持部は紙、プラスティック等の硬質材からなることを特徴とする請求項１のからだの洗浄用具。
【請求項４】
洗浄部は扁平形状からなるものであることを特徴とする請求項１又は２のからだの洗浄用具。
【請求項５】
既に洗浄液を含浸させた多孔質からなる洗浄部と洗浄部に取り付けられた硬質からなる握持部を特徴とする請求項１のからだの洗浄用具。
【発明の詳細な説明】
【発明の詳細な説明】
【技術分野】
【０００１】本発明は、生理時や介護時等の入浴出来ない時やトイレでの噴射式沐浴洗浄器では解決出来ない、不快な匂いの元となる蛋白質や膀胱炎等の原因でもある雑菌をより除去するため、石鹸液等のついた洗浄部材で陰部や臀部などの皮膚面を洗浄し、生理時、排便時等の不快な環境や病気防止を解決する技術に関する。
【背景技術】
【０００２】従来の洗浄装置では、水又は湯の噴射洗浄のため、陰部の肉襞の細部までは洗浄出来ず、蛋白質、雑菌は完全に除去仕切れない。そのため、匂い等不快感や膀胱炎等引き起こす可能性がある雑菌除去を解決することは出来なかった。
【発明の開示】
【発明が解決しようとする課題】
【０００３】しかし、従来の洗浄装置では、シャワー状の湯または水を噴射するだけである沐浴のため匂いの元になる皮膚面についている菌及び蛋白質を入浴洗浄のようには除去することが出来なかった。そこで、本発明は従来の洗浄装置による沐浴洗浄の前に石鹸液等を含浸させた洗浄部材で皮膚面を洗浄することにより、菌及び蛋白質の除去を強化し、陰部や臀部等皮膚面を入浴洗浄と同等の清潔化及び匂い等による不快感の除去をすることができるようにすることを課題とする。
【課題を解決するための手段】
【０００４】上記課題を解決するために、請求項１記載のからだの洗浄用具は、洗浄液を含浸可能な多孔洗浄部と前記洗浄部に取り付けられた硬式からなる握持部を有する洗浄用具である。【０００５】洗浄部は、スポンジ、布、紙、海綿等多孔質材からなる部材を特徴とする請求項１のからだの洗浄用具であり、皮膚に優しい肌触りと泡立ちが良く洗浄に耐えうるものである。【０００６】握持部は紙、プラスティック等の硬質材からなることを特徴とし、洗浄部は扁平形状からなるものであることを特徴とするもので、既に洗浄液を含浸させた多孔質からなる洗浄部と洗浄部に取り付けられた硬質からなる握持部を特徴とする請求項１のからだの洗浄用具。【０００７】硬質からなる握持部の先に洗浄部材が固着されており、その洗浄部材に石鹸液等を含ませてある。使用時は洗浄部材の幅広の部分は広範囲部位を、また洗浄部材の厚みの細い部分で陰部の肉襞等の細かい部位を洗浄後、従来の洗浄装置で洗い流し、これにより、雑菌、蛋白質等の除去をする。
【発明の効果】
【０００８】  本発明は以上に説明したような構成により次のような効果を奏する。
請求項１に記載されている発明は入浴洗浄した環境をトイレで実施することとなるので、外出時など入浴出来ない時の陰部や臀部等皮膚面の清潔化及び匂い等による不快感の解決をすることができる。
【発明を実施するための最良の形態】
【０００９】洗浄部の形状は、大きな接触面を有する第１の面と狭い面を有する第２の面とを有し、第１の面で広範囲の皮膚面洗浄が出来、第２の面で肉襞等細部の洗浄が可能となる。
洗浄部の部材は、スポンジ、紙、布、海綿等からなる。【００１０】握持部の形状は、平型、筒状、波型などからなるスティック状で、部材は紙、プラスティックからなる。【００１１】洗浄部と握持部との固着手段は、握持部に２つの洗浄部を両面より固着するまたは洗浄部に切り目を入れ、奥深くまで握持部を差し込む手段である。【００１２】本発明の洗浄用具は、握持部の先に洗浄部材が固着されており、その洗浄部材全体に石鹸液等を含ませて包装している。【００１３】洗浄液を洗浄部に含浸させる手段は、液状、粉末状からなる洗浄液を洗浄部に予め含浸させてある。【００１４】使用方法は、予め洗浄液等を含浸している洗浄部の巾広の洗浄部面で皮膚全体を、また巾の狭い洗浄部面で肉襞等細部を洗浄し、従来の噴射式洗浄装置にてすすぐ。
【産業上の利用可能性】
【００１５】本発明は、介護時、生理時、病気入院時等の入浴出来ない時などに利用出来る。
【図面の簡単な説明】
【００１６】
【図１】  本発明の洗浄面を説明する斜視図である。
【図２】  本発明の洗浄部と握持部である。
【図３】  本発明の正面図である。
【図４】  本発明の斜視図である。
【図５】  本発明の石鹸液等が充填された包装後の完成図である。
【図６】  本発明の一部断面図である。
【符号の説明】
【００１７】      １  握持部
２  洗浄部
３  包装
４  包装を外す際の切り目
【図１】
2005288063.tif 000003
【図２】
2005288063.tif 000004
【図３】
2005288063.tif 000005
【図４】
2005288063.tif 000006
【図５】
2005288063.tif 000007
【図６】
2005288063.tif 000008
(57)【要約】【課題】野菜を洗ったあとの水きりを簡単にするものを提供する。【解決手段】ビニル袋に濡れても破れにくい紙袋を入れ  その中に葉もの野菜を洗ったあと簡単に手で上下に振り水気を切った野菜をいれてビニル袋を回転させればよいのである。ビニル袋を回転させることにより  遠心力で水分が飛ばされ  飛ばされた水分は紙に吸収され水きりが簡単にできる。【選択図】図１
2005288069.tif 000002
【特許請求の範囲】
【請求項１】
野菜を洗ったあとの水きりをすばやく簡単にするものである。
【発明の詳細な説明】
【発明の詳細な説明】
【技術分野】
【０００１】  本発明は、野菜を洗ったあとの水きりを簡単にするものである。
【背景技術】
【０００２】  従来、野菜を洗ったあとの水きり用品はなかった。
【発明が解決しようとする課題】
【０００３】  生野菜で主に葉もの野菜も栄養があり欠かすことのできない食品であるが  調理するとなると水きりに手間や時間がかかりつい省きがちになる。
主に葉もの野菜を洗ったあとの水きりは  手で簡単に上下に振ったりざるに入れて振ったりして  その後しばらくそのまま放置したりするのであるが  時間がかかり充分水きりできていないとサラダなどに調理した時ドレッシングがよくなじまないため  これを解決する為のものである。
【課題を解決する為の手段】
【０００４】  吸湿がよく濡れても破れにくい紙袋を作り  その袋に洗った野菜を簡単に上下に振ったあと入れ回転させると遠心力で水気が吹き飛ばされ水きりが簡単にできる。紙袋は食品を扱うため衛生面から考えて使い捨てを基本とする。  また  折りたたんで収納されている為場所を取らない。
【発明の効果】
【０００５】  水切り袋を利用することにより葉もの野菜の水きりが短時間で簡単に室内でできる。
【発明を実施するための最良の形態】
【０００６】以下、本発明の実施の形態について説明する。
（イ）  吸湿がよく濡れても破れにくい紙で袋を作る。
（ロ）  お買い物袋のように持ち手のあるビニル袋に濡れても破れにくい紙袋を入れる。
本発明は  以上のような構成である。
これを使用するときは  ビニル袋に濡れても破れにくい紙袋を入れその中に葉もの野菜を洗ったあと簡単に手で上下に振り水気を切った野菜をいれてビニル袋を回転させればよいのである。ビニル袋を回転させることにより  遠心力で水分が飛ばされ  飛ばされた水分は紙に吸収されるのである。
【実施例１】
【０００７】図１に示すように  ビニル袋に濡れても破れにくい紙袋を入れ  その中に葉もの野菜を洗ったあと簡単に手で上下に振り水気を切った野菜をいれてビニル袋を２０回ぐらい回転させればよいのである。
【図面の簡単な説明】
【０００８】
【図１】本発明の斜視図
【図２】本発明の一部を切り欠いた側面図
【図３】本発明の他の実施例を示す斜視図
【符号の説明】
【０００９】    １、紙袋
２、ビニル袋
３、野菜
【図１】
2005288069.tif 000003
【図２】
2005288069.tif 000004
【図３】
2005288069.tif 000005
(57)【要約】【課題】長靴の中で水溶液を入れて歩けるビニル製の長靴またはビニル製の靴下を提供するものである。【解決手段】水虫の治療のひとつで  酢水に浸けて治す方法があるがこの場合洗面器かバケツに酢水を入れしばらく足をつけておくのであるが  行動範囲が制限され立上がって歩いたりできないので  酢水を入れしばらく足を浸していても立上がって歩け簡単な用事をしながら治療ができるようにするビニル製の長靴またはビニル製の靴下を提供するものである。【選択図】図１
2005288068.tif 000002
【特許請求の範囲】
【請求項１】
長靴の中に  水溶液を入れて歩けるビニル製の長靴と取り替えビニル靴下。
【発明の詳細な説明】
【発明の詳細な説明】
【技術分野】
【０００１】  本発明は、長靴の中で水溶液を入れて歩けるビニル製の長靴と取替えビニル靴下である。
【背景技術】
【０００２】  従来、長靴の中で水溶液を入れて歩けるビニル製の長靴と取替えビニル靴下はなかった。
【発明が解決しようとする課題】
【０００３】  水虫の治療のひとつで  酢水に浸けて治す方法があるが  この場合洗面器かバケツに酢水を入れしばらく足をつけておくのであるが  行動範囲が制限され立上がって歩いたりできないので  酢水を入れしばらく足を浸していても立上がって歩け用事をしながら治療をできるようにする為のものを提供するものである。
【課題を解決する為の手段】
【０００４】  ビニル製の長靴で  継ぎ目などがなく  水溶液を入れても漏れないものとする。長靴の中に水溶液を入れて歩いても水溶液があふれ出たりしないよう高さのあるものとする。ビニル製の長靴に水溶液を入れて動くと足が滑りやすいので靴内部の底にすべり止めの突起を付け靴の外底はすべり止めの工夫をしたものとする。長靴の外から見て水溶液がどのぐらい入っているか見えるものとする。また使用の度にきれいに洗い乾燥させてから使用しなければならないが  手間をはぶくために１回ごとに使い捨てできるビニル製の靴下も用意してありビニル製の長靴にセットして使用できるよう工夫したものである。
【発明の効果】
【０００５】  ビニル製の長靴に酢水を入れ  足を浸しながら簡単な動作ができ、精神的にも気楽に治療できる。
【発明を実施するための最良の形態】
【０００６】以下、本発明の実施の形態について説明する。
（イ）  ビニル製の長靴で  水溶液を入れても漏れないものとする。
（ロ）  長靴の内側の底は足が滑らないように突起をつけ、外側の底にもすべり止めの工夫をしたものとする。
（ハ）  長靴の外から見て  水溶液がどのぐらい入っているか見えるような透明度のあるビニル製とする。
（ニ）  取替え用ビニル製の靴下が取り付けできるよう工夫したものである。
本発明は  以上のような構成である。
これを使用するときは  酢水の水溶液を長靴またはビニル製の靴下に入れ素足を入れれば良い。
【実施例１】
【０００７】図３に示すように  酢水の水溶液を長靴またはビニル製の靴下に入れ水虫の素足を靴をはくように入れれば良い。
使用後は  長靴を脱ぎ  中の酢水を捨て靴の中を洗い  逆さにしたり日光の当たる所で水分を充分乾かしておけば良い。またはビニル製の靴下の場合は酢水を捨て処分すればよい。
【図面の簡単な説明】
【０００８】
【図１】本発明の斜視図
【図２】本発明の一部を切り欠いた側面図
【図３】本発明の実施例を示す斜視図
【図４】本発明の他の実施例を示す側面図
【符号の説明】
【０００９】１．ビニル製の長靴
２．突起
３．滑り止め
４．ビニル製の長靴下
５．マジックテープ
【図１】
2005288068.tif 000003
【図２】
2005288068.tif 000004
【図３】
2005288068.tif 000005
【図４】
2005288068.tif 000006
(57)【要約】      （修正有）【課題】アレルギー疾患患者に対して、医療行為を行うことなく病気の予防と治療のサービスを提供する宿泊施設を提供する。【解決手段】患者さんの不安を除去し、安心して療養できる施設にするために、スタッフ、病院との連絡、患者さんの病院への輸送体勢、酸素ボンベ、除塵機などを整備するとともに、医学的知識を駆使し原因物質の除去をし、病気の新しい予防と治療を提供する宿泊施設。【選択図】なし【特許請求の範囲】
【請求項１】
喘息、花粉症、アトピーなどのアレルギー疾患患者用にそれぞれのアレルゲンが無い所に宿泊施設を設置し、患者さんの保養と療養を目的とした施設。
【発明の詳細な説明】
【発明の詳細な説明】
【０００１】［産業用の利用分野］
アレルギー疾患患者の保養と療養のためのサービス産業
【０００２】［従来の技術］
病院または診療所に入院または通院して治療
【０００３】［発明が解決しようとする課題］
アレルギー疾患は現代医療でも完治は難しく、対症療法が主に行われていて、根本的治療は行われていない。しかし、物理的にアレルゲンを除去しようとの試みもあるが、これは室内では可能であるが外出に際しては不可能である。
【０００４】［課題を解決するための手段］
アレルギー疾患の治療は原因物質を除去してやればいい訳であるが、実際は技術的に困難である。しかし、患者さん自身を離島のようなアレルゲンが無いところに移してやることにより簡単にアレルゲンの除去が可能です。
患者さんをアレルゲンの無いところで生活させてあげる事により、楽しく束縛される事なく、病気の治療が可能になる。
【０００５】［作用］
入院することなく、保養しながらアレルギー疾患の治療が可能。
【０００６】［実施例］
花粉症は杉の木がないところで生活すれば良いのである。
【０００７】［発明の効果］
アレルギー疾患患者が安心して宿泊できる施設であり、入院や薬物を必要としない根本的治療が可能になる。
(57)【要約】【課題】生卵の卵黄だけをすくい取るための卵黄すくい具を提供する。【解決手段】連結部を介して折り返し開閉可能に連結された１対の把手部と各把手部先端に対向する把手部側が開口部となるように設けられた略半球形状のすくい部とよりなり、把手部をとじることにより両方のすくい部で任意の卵の卵黄をすくい取ることができるものであることを特徴とする卵黄すくい具。【選択図】図１
2005288061.tif 000002
【特許請求の範囲】
【請求項１】
連結部を介して折り返し開閉可能に連結された１対の把手部と各把手部先端に対向する把手部側が開口部となるように設けられた略半球形状のすくい部とよりなり、把手部をとじることにより両方のすくい部で任意の卵の卵黄をすくい取ることができるものであることを特徴とする卵黄すくい具。
【発明の詳細な説明】
【技術分野】
【０００１】    本発明は、生卵の殻を割り中身を器にうつしたものから卵黄だけをすくい取る卵黄すくい具に関するものである。
【背景技術】
【０００２】    従来、生卵の卵黄と卵白を分離させる物として、卵自分離器という器具があり、傾斜のついた特殊な形をした台の上に生卵の中身を落とし、この台の上をすべらせながら卵黄と卵白とを分離できるものがあった。（特許文献１参照）【０００３】
【特許文献１】    特開２０００−３００４４６号公報
【発明の開示】
【発明が解決しようとする課題】
【０００４】    そのために、次のような問題点があった。
（イ）台の部分の構造が複雑になっているため、狭い部分に付着した卵白などを取り除くことが大変であり、又付着した卵白も無駄になる。
（ロ）古い生卵を使用すると台の上をすべりおちるときの摩擦により卵黄幕がやぶれ、うまく分離することができない。
（ハ）台の部分の構造が複雑になっているため、使用後の清掃が大変であった。
本発明は、これらの問題点を解決するためになされたものである。
【課題を解決するための手段】
【０００５】  連結部（２）を介して折り返し開閉可能に連結された１対の把手部（１）を設け、各把手部（１）の先端に、対向する把手部側が開口部（４）となるように略半球形状のすくい部（４）を設ける。そして、把手部（１）をとじることにより両方のすくい部（４）で任意の卵の卵黄をすくい取ることができる。以上を特徴とする卵黄すくい具である。
【発明の効果】
【０００６】  本発明を使用することにより、お年寄りから子供まで、だれでも簡単、確実に卵黄だけを形をくずすことなくすくい取ることができる。又、すくい取った卵黄だけを調理する場所に簡単にうつすこともできる。又、使用後の清掃も簡単にできるため、とても衛生的である。
【発明を実施するための最良の形態】
【０００７】  以下、本発明の実施の形態について説明する。
本発明は、図１に示すように折り返された把手部（１）と、各把手部（１）の先端に設けられたすくい部（３）により構成され、把手部（１）は、細長い板状の可倒性素材を連結部（２）で折り返された略Ｖ字形のものである。又、各把手部（１）の先端に略半球形状のすくい部（３）を、対向する把手部側が開口部（４）となるように設ける。なお、各すくい部（３）においては同じ大きさで、各開口部（４）が平行に重なるように構成されている。又、部材においては、合成樹脂や金属、等の素材が好ましい。
本発明は、以上のような構成で、これを使用するときは、把手部（１）の外側をピンセットを使うときと同じように親指と人差し指で挟むように持ち、各すくい部（３）の開口部（４）を卵黄と卵白の境目付近に沿わせて、卵黄だけを挟み、すくい取ることができる。【０００８】  各すくい部（３）を透明な部材にすることで、すくいとった中身を確認することが出来る。
【図面の簡単な説明】
【０００９】
【図１】本発明の斜視図
【図２】本発明の側面図
【図３】本発明の正面図
【図４】本発明の実施例を示す正面図
【図５】本発明の図２のＡ−Ａ断面図
【符号の説明】
【００１０】        １  把手部
２  連結部
３  すくい部
４  開口部
５  本体
【図１】
2005288061.tif 000003
【図２】
2005288061.tif 000004
【図３】
2005288061.tif 000005
【図４】
2005288061.tif 000006
【図５】
2005288061.tif 000007
(57)【要約】      （修正有）【課題】穴明加工時に、刃物であるドリルをドリルチャックに着脱するためのチャックハンドルを容易に確実に整理保管するためのチャックハンドル保持具を提供する。【解決手段】非磁性体で円柱状のガイドリング４の１端面に円錐面をなすテーパガイド部を設け、他端面に設けた保持マグネット圧入穴に保持マグネット１を圧入し、保持マグネット１に設けた嵌合ピン穴と前記テーパガイド穴によりチャックハンドルの嵌合ピン７とギヤー部８を保持するチャックハンドル保持具。【選択図】図３
2005288677.tif 000002
【特許請求の範囲】
【請求項１】
ブロック状ガイドリングの１端面に開口部を持ち別の１端面に保持マグネットを設けて成るチャックハンドル保持具
【発明の詳細な説明】
【技術分野】
【０００１】  生産活動の中で頻繁に必要となる穴明加工において、刃物であるドリルをボール盤、フライス盤、旋盤等加工機に固定するためにドリルチャックとハンドルが使用される。このチャックハンドルはドリルチャックにドリルを着脱する時に必要不可欠の重要な作業工具である。しかしながら掌中にスッポリと収まる小さな工具であり、しばしば行方不明となり不便な思いをするのみならず作業効率を低下させる。この不便さ、作業効率低下を改善させようとするものである。
【背景技術】
【０００２】  従来チャックハンドルを整理保管するための方法としては、Ｔ字型をなすチャックハンドルのハンドル軸を穴に挿入して保持する、また使用時に把持するハンドルピンをフックに係止させるといったことが考案されているにととまり不便さを解決するに至っていない、単純な形状であり、使われ方もハンドルピンを把って回すだけの単純な作業のため改善の余地がないと考えられているといった背景がある。
【発明の開示】
【発明が解消しようとする課題】
【０００３】  チャックハンドルは常時使用されるものではなく、使用しないときにどのように整理するかの方法、場所、整理するときの作業性という面で現状は決して簡便であるとは言えず改善する必要があり課題となる。
【課題を解決するための手段】
【０００４】  本発明では、チャックハンドルを保持する方法としてマグネットに吸着させるという全く新しい方法を開発した。また吸着保持させる時の作業性を改善するために、マグネットに、テーパー部を有するジョーゴ状の非磁性体の挿入ガイドを取り付けた。こうするとチャックハンドルを使ってドリルを着脱する時の持方のまま、容易にマグネットに吸着保持させることが出来る。  さらに本発明のチャックハンドル保持具の主構成部品であるマグネットはチャクハンドルを吸着させる面での反対側で、チャックハンドル保持具自体が鉄製のどこにでも吸着固定出来るという特長さを持つ。
【発明の効果】
【０００５】  本発明により次のような効果を発揮する。まずチャックハンドルを保持する機能は主構成部品であるマグネットに吸着させることで実現されている。そのことにより保持されるための動作は水平方向の動作でも、上下方向の動作でも全く制約がなく自由な方向から保持できるので大変便利であり、使用する人にストレスを感じさせない。またチャックハンドル保持具自体、マグネットにより、主に鉄製の所にはどこでも吸着固定出来るので自由に保管場所を決定出来て大変便利である。そのことは常時保管する場所を明確に特定する事でありどこに置いたか分からなくなることを防止出来るのである。チャックハンドルをチャックハンドル保持具に保持させる時の持方は、チャックハンドルを使用する時の持方のままで保持させる事が出来るので、ドリル取付、ドリル交換等の一連の作業は確実にしかもスムーズに行うことが出来る。
【発明を実施するための最良の形態】
【０００６】  以下本発明の最良の実施例について説明する。非磁性体の円柱状の１端面に開口した円錐面をなすテーパーガイド部５を設け、他端面に底面を有するマグネット圧入穴３を設け、当該マグネット圧入穴３に円柱状のマグネットの中心部にチャックハンドルの嵌合いピン部７がスキマを持ってはまり合う嵌合いピン穴２を設けた保持マグネット１を圧入固着させて、本発明のチャックハンドル保持具を構成する。
【産業上の利用可能性】
【０００７】  生産活動の中で歴史的にも古くからまた非常に頻繁に行われて来た加工方法でありながら、単純な作業であるが由に不便さ、非能率的さが見過ごされて来た。しかしながら本発明のチャックハンドル保持具によれば、これ以上省略しようがないほどの省作業によりドリルチャックにドリルを取付または取外しが可能となり、そればかりか非使用時の整理保管場所を明確に特定出来る。また必要に応じて、いとも簡単に整理保管場所を変更出来るので、穴明加工本来の作業にストレスなく集中出来て、経済的な効果が確実に期待出来るのである。それら大きな効果が期待出来るチャックハンドル保持具をわずか２個のパーツで安価に提供出来ることであり利用の可能性は大なるものである。
【図面の簡単な説明】
【図１】本発明のチャックハンドル保持具の断面図である。
【図２】本発明のチャックハンドル保持フの平面図である。
【図３】本発明のチャックハンドル保持具を水平面に吸着固定させた断面図に参考的に本発明の対象物であるチャックハンドルを吸着保持させた状態を図示したものである。
【図４】本発明のチャックハンドル保持具を垂直面に吸着固定させた断面図に参考的に本発明の対象物であるチャックハンドルを吸着保持させた状態を図示したものである。
【符号の説明】
１・・・保持マグネット          ２・・・嵌合いピン穴３・・・保持マグネット圧入穴４・・・ガイドリング            ５・・・テーパーガイド部６・・・開口部                  ７・・・嵌合いピン            ８ギャー部９・・・ハンドル軸            １０・・・ハンドルピン１０
【図１】
2005288677.tif 000003
【図２】
2005288677.tif 000004
【図３】
2005288677.tif 000005
【図４】
2005288677.tif 000006
(57)【要約】【課題】一本のドライバーで、複数のドライバーの役割を果たすもの。【解決手段】ドライバー本体部にドライバー軸（４）を取付金具（２）を介して組み付け、作業状況に応じて任意の長さにドライバー軸を固定して使用することを特徴とする。【選択図】  図１
2005288680.tif 000002
【特許請求の範囲】
【請求項１】
ドライバーグリップ（７）に固定された中空軸（１）その先端に固定金具（２）を設けた本体（３）に  伸縮自在に収納組み付けられるドライバー軸（４）その軸上には軸止め溝（５）を施し  固定金具（２）とドライバー軸（４）とのはめ合各部の断面（９）を  六角又は四角形等の共回り形状としたねじ回し工具の伸縮軸機能を持つドライバー。
【請求項２】
中空軸（１）の後端に動具取付軸（６）を設けて使用する図２  図３の請求項１のドライバー。
【請求項３】
前記ドライバーを電動工具の本体にギアー（１０）などの連結駆動手段を設けて一体化した図４の電動工具一体化ドライバー（１１）であり請求項１ないし請求項２のドライバー。
【発明の詳細な説明】
【技術分野】
【０００１】本発明は、作業工具のねじ回しドライバー及びドライバービットに関するものである。
【背景技術】
【発明の開示】
【発明が解決しょうとする課題】
【０００２】従来のドライバーは、各自軸長は一定であり作業状況により軸長の異なる複数のドライバーを必要とする、そこで本ドライバーの如く軸長を変えて使用できる伸縮軸機能を持たせることにより最小限のドライバー本数に出来る。
【課題を解決するための手段】
【０００３】上記目的を達成するために請求項１の発明は、ドライバーグリップ（７）に固定された中空軸（１）その先端に固定金具（２）を設けた本体（３）に、伸縮自在に組みつけられるドライバー軸（４）その軸上には軸止め講（５）を施す、固定金具（２）とドライバー軸（４）とのはめ合い各部の継面を六角又は四角形等の共回り形状とし、任意の長さにドライバー軸（４）を固定して使用する図１のドライバー。
【０００４】請求項２の発明は、中空軸（１）の後端に動具取付軸（６）を設けた図２図３のドライバー。
【０００５】請求項３の発明は、本ドライバーと電動工具本体にギアー（１０）などの連結駆動手段を設けて一体化した図４（１１）の電動工具一体化ドライバーである。
【発明の効果】
【０００６】本発明により、一本のドライバーで複数の長さの異なるドライバーの役割を果たすものであり、さらに電動工具との一体化により従来に無い伸縮軸機能を持つ作業性に優れた電動工具が可能である。
【発明を実施するための最良の形態】
【実施例】
【０００７】本体部の中空軸内に伸縮自在に収納組みつけられるドライバー軸（４）とそのはめ合い部である固定金具（２）は共回りすると共に所定の長さに軸を固定できる構造で，これは従来使われている構造を応用した固定金具（２）部で、以下これを説明する。【０００８】図５の固定金具（２）は内筒（１３）と外筒（１２）から成り内筒側面に設けた孔（１５）に軸止め玉（１４）を組み付け、外筒（１２）を前後にスライドさせることにより軸止め溝（５）の部分に軸止め玉（１４）による固定と非固定を行う、これによりドライバー軸を任意の長さに固定するものである。
【産業上の利用可能性】
【図面の簡単な説明】
【図１】  本発明に関わるドライバーの概略構成図である。
【図２】  本発明に関わるドライバーの概略構成図である。
【図３】  本発明の斜視図である。
【図４】  本発明のドライバーと電動工具を一体化した概略構成図である。
【図５】  固定金具（２）の断面図てある。
【符号の説明】
１    中空軸
２    固定金具
３    本体
４    ドライバー軸
５    軸止めの溝
６    取付軸
７    グリップ
８    ビット差し替金具
９    はめ合部
１０    ギアー
１１    電動工具一体形ドライバー
１２    外筒
１３    内筒
１４    軸止め玉
１５    孔
１６    スプリング
【図１】
2005288680.tif 000003
【図２】
2005288680.tif 000004
【図３】
2005288680.tif 000005
【図４】
2005288680.tif 000006
【図５】
2005288680.tif 000007